(57)【要約】【課題】給水ホースと良好な接続を維持できる吐水装置を提供する。【解決手段】吐水装置１０は、内部に通水部６６が管軸方向に延びるように形成され、先端側に吐水部を有している通水部材６０と、通水部材６０の基端側に接続し、フック部３３に着脱自在に保持される保持部８１を有している継手部材８０と、継手部材８０の内部を挿通するとともに、通水部材６０の内部を挿通し、通水部６６にＯリング７３を介して接続している給水ホース４０と、を備えている。【選択図】図３
2020143488.tif 000002
【特許請求の範囲】
【請求項１】
内部に通水部が管軸方向に延びるように形成され、先端側に吐水部を有している通水部材と、
前記通水部材の基端側に接続し、被取付け部に着脱自在に保持される保持部を有している継手部材と、
前記継手部材の内部を挿通するとともに、前記通水部材の内部を挿通し、前記通水部に止水部を介して接続している給水ホースと、
を備えている吐水装置。
【請求項２】
前記通水部材と前記継手部材とが接続している接続部と、前記止水部とは、前記管軸方向に離れている請求項１に記載の吐水装置。
【請求項３】
前記継手部材は、前記通水部材と前記給水ホースとで前記管軸方向に挟み込まれて、前記通水部材と接続している請求項１又は２に記載の吐水装置。
【請求項４】
前記継手部材と前記給水ホースとの間に、弾性部材を備えている請求項１から３のいずれか１項に記載の吐水装置。
【請求項５】
前記通水部材と前記継手部材との間に、前記通水部材の内部に侵入した水を外部へ排出するための排水路が形成されている請求項１から４のいずれか１項に記載の吐水装置。
【請求項６】
前記給水ホースは、前記継手部材の内周に当接しているとともに、前記通水部材の内周に当接している請求項１から５のいずれか１項に記載の吐水装置。
【発明の詳細な説明】
【技術分野】
【０００１】
本発明は、吐水装置に関する。
【背景技術】
【０００２】
特許文献１は、給水ホースと接続した通水部材を備えたシャワーヘッドを開示している。通水部材は、給水ホースと止水部を介して水密に接続するとともに、吐水管などの被取付け部に対して着脱自在に保持される保持部を有している。
【先行技術文献】
【特許文献】
【０００３】
【特許文献１】特開２００２−３２０５６５号公報
【発明の概要】
【発明が解決しようとする課題】
【０００４】
特許文献１のシャワーヘッドは、給水ホースと水密に接続する止水部と、被取付け部に対して着脱自在に保持される保持部とが同一の部材に有る。このため、使用者がシャワーヘッドを被取付け部に対して着脱する際に、保持部に外力が加わって止水部が変形し、給水ホースとの良好な水密性を保てない恐れがある。
【０００５】
本発明は、このような事情を鑑み、給水ホースと良好な接続を維持できる吐水装置を提供することを目的とする。
【課題を解決するための手段】
【０００６】
本発明の吐水装置は、内部に通水部が管軸方向に延びるように形成され、先端側に吐水部を有している通水部材と、前記通水部材の基端側に接続し、被取付け部に着脱自在に保持される保持部を有している継手部材と、前記継手部材の内部を挿通するとともに、前記通水部材の内部を挿通し、前記通水部に止水部を介して接続している給水ホースと、を備えていることを特徴としている。
【０００７】
本発明の吐水装置によれば、給水ホースと水密に接続する通水部材は、保持部を有しておらず、通水部材と別部材の継手部材が保持部を有している。このため、使用者が継手部材を被取付け部に対して着脱する際に、保持部に外力が加わって継手部材が変形しても、通水部材には直接的に外力が加わらないので、通水部材は変形しづらくなる。したがって、本発明の吐水装置は、給水ホースと良好な接続を維持できる。
【図面の簡単な説明】
【０００８】
【図１】本発明の実施例１に係る吐水装置の外観を示す斜視図である。
【図２】吐水装置の外観を示し、水栓本体から吐水ヘッドを取り外した状態を示す斜視図である。
【図３】吐水装置の縦断面図である。
【図４】図３において、給水ホースの接続部分の拡大図である。
【図５】図３のＡ−Ａ線で示す方向での吐水ヘッドの断面図である。
【図６】図５のＢ−Ｂ線で示す方向での吐水ヘッドの断面図である。
【図７】吐水ヘッドの分解図である。
【発明を実施するための形態】
【０００９】
本発明における好ましい実施の形態を説明する。
本発明の吐水装置において、前記通水部材と前記継手部材とが接続している接続部と、前記止水部とは、前記管軸方向に離れていてもよい。
この場合、継手部材が変形しても、止水部は管軸方向に離れているので変形しづらくなる。したがって、この吐水装置は、さらに給水ホースと良好な接続を維持できる。
【００１０】
本発明の吐水装置において、前記継手部材は、前記通水部材と前記給水ホースとで前記管軸方向に挟み込まれて、前記通水部材と接続していてもよい。
この場合、継手部材と通水部材に、ねじ加工などの固定構造が必要なくなる。したがって、この吐水装置は、継手部材の組み付けを容易にできる。
【００１１】
本発明の吐水装置において、前記継手部材と前記給水ホースとの間に、弾性部材を備えていてもよい。
この場合、使用者が継手部材を被取付け部に対して着脱する際に、保持部に外力が加わって継手部材ががたつこうとしても、弾性部材が弾性変形し、がたつきを抑えられる。したがって、この吐水装置は、さらに給水ホースと良好な接続を維持できる。
【００１２】
本発明の吐水装置において、前記通水部材と前記継手部材との間に、前記通水部材の内部に侵入した水を外部へ排出するための排水路が形成されていてもよい。  この場合、通水部材と給水ホースとが接続している箇所などから、通水部材の内部に水が浸入しても、その水を排水路を通じて通水部材の外部へ排出できる。したがって、この吐水装置は、通水部材の内部に水が滞留することを抑えることができる。
【００１３】
本発明の吐水装置において、前記給水ホースは、前記継手部材の内周に当接しているとともに、前記通水部材の内周に当接していてもよい。
この場合、給水ホースは、通水部材及び継手部材にそれぞれ当接するので、径方向のがたつきを抑えられる。したがって、この吐水装置は、さらに給水ホースと良好な接続を維持できる。
【００１４】
次に、本発明を具体化した実施例について、図面を用いて説明する。
なお、以下の説明では、上下方向は、図１から図５に表れる向きをそのまま上下方向とする。
【００１５】
＜実施例１＞
実施例１における吐水装置１０は、キッチンのシンクの上方にある壁面に取り付けられて、湯水を混合して吐出するものである。吐水装置１０は、図１に示すように、水栓本体２０、フック部材３０、給水ホース４０、及び吐水ヘッド５０を備えている。
【００１６】
水栓本体２０は、一対の取付け脚２１、本体部２２、及び操作レバー２３を有している。取付け脚２１は、クランク形状である。取付け脚２１は、それぞれ図示しない壁面の給湯源及び給水源と接続し、内部に形成された図示しない給湯路及び給水路を通じて、本体部２２に湯水を供給する。本体部２２は、図３に示すように、内部に弁カートリッジ２４を収容している。弁カートリッジ２４は、一対の取付け脚２１から供給された湯水を混合し、本体部２２の下方に接続しているフック部材３０を経由して、給水ホース４０へ湯水を供給する。操作レバー２３は、弁カートリッジ２４と接続している。操作レバー２３は、水平方向に延びたレバー部２５を有している。レバー部２５が水平方向を向いている場合、弁カートリッジ２４は閉弁しており、湯水は吐水装置１０から吐出しない。使用者がレバー部２５を上方へ傾けると、弁カートリッジ２４は開弁し、湯水は吐水装置１０から吐出する。弁カートリッジ２４は、レバー部２５が上方への傾くにつれて、開く量が大きくなるように設定されており、吐水装置１０から吐出される湯水の流量が調節される。使用者がレバー部２５を左右方向へ回動すると、弁カートリッジ２４は、湯水の混合比率を変え、吐水装置１０から吐出される湯水の温度が調節される。
【００１７】
フック部材３０は、水栓本体２０の下方に回転自在に接続している。フック部材３０は、湯水を給水ホース４０へ供給するとともに、吐水ヘッド５０を着脱自在に保持するものである。フック部材３０は、接続部３１、エルボ部材３２、及びフック部３３を有している。接続部３１は、図３に示すように、内部に湯水が流れる通水路３１ａが形成されている。接続部３１は、水栓本体２０の下方から挿入され、水栓本体２０に袋ナット３４で取り付けられている。接続部３１の背面側は、Ｌ字形状のエルボ部材３２が接続されている。エルボ部材３２の一端側は、水平方向に延び、接続部３１に挿入されて通水路３１ａと接続している。エルボ部材３２の他端側は、下方向に延び、給水ホース４０と接続している。
【００１８】
フック部３３は、後述する吐水ヘッド５０を着脱自在に保持する被取付け部としての機能を有している。フック部３３は、接続部３１の下端から手前側に向かって、斜め上方へ延びている。フック部３３は、図２に示すように、内周側に円筒形状の空間が形成されており、内周面にガイドリング３５が取り付けられている。ガイドリング３５は、径方向に弾性変形自在な弾性片部３５ａを有している。弾性片部３５ａは、ガイドリング３５の先端側から基端側に向かって延びており、周方向に間隔を空けて複数形成されている。弾性片部３５ａは、先端側に内周方向へ突出する爪部３５ｂを有している。吐水ヘッド５０は、基端側に保持部８１を有している。保持部８１は、周方向に一周する環状の溝８１ａが外周面に形成されている。吐水ヘッド５０は、フック部３３に装着されると、ガイドリング３５の爪部３５ｂが保持部８１の溝８１ａに嵌合し、吐水ヘッド５０がフック部３３から外れにくくなるように保持される。吐水ヘッド５０が引き出される際、爪部３５ｂは径方向に開くように弾性変形し、爪部３５ｂと溝８１ａの嵌合が解除されて、吐水ヘッド５０をフック部３３から引き出すことができる。なお、吐水ヘッド５０の保持部８１は、後述する継手部材８０の一部であり、継手部材８０に関しては、おって詳細に説明する。
【００１９】
ガイドリング３５は、図４に示すように、先端側の内周面に、基端側から先端側に向かうに従って、径方向に拡がるように傾斜した拡径部３５ｃが形成されている。吐水ヘッド５０は、保持部８１の基端側に、先端側から基端側に向かうに従って、径方向に窄まるように傾斜した縮径部８１ｂが形成されている。フック部３３は、ガイドリング３５の拡径部３５ｃにより、先端側が拡がっているのに対し、吐水ヘッド５０は、保持部８１の縮径部８１ｂにより、基端側が窄まっている。これにより、使用者が吐水ヘッド５０をフック部３３に装着する際、吐水ヘッド５０の保持部８１をフック部３３に挿入し易い。
【００２０】
フック部３３及びガイドリング３５は、図２に示すように、その下側に、切り欠き部３６が管軸方向に連続して形成されている。切り欠き部３６の幅は、吐水ヘッド５０の保持部８１の直径よりも小さく、且つ、給水ホース４０の直径よりも大きく設定されている。これにより、吐水ヘッド５０がフック部３３に装着されている状態において、給水ホース４０は、切り欠き部３６を挿通して垂れ下がることができる。保持部８１は、外周から下方へ突出する一対の突出部８１ｃを有している。吐水ヘッド５０がフック部３３に装着されている状態において、一対の突出部８１ｃは、切り欠き部３６の各端面に当接する。これにより、フック部３３に装着された吐水ヘッド５０は、周方向への回転が規制され、後述する吐水口７１ｂや排水路が下方を向くように位置決めがされる。
【００２１】
給水ホース４０は、可撓性を有し、図３及び図４に示すように、内部に混合水が流れる通水路４１が形成されている。給水ホース４０は、図１に示すように、外観に表れるように垂れ下がっており、一端側がエルボ部材３２と接続し、他端側が吐水ヘッド５０と接続している。
【００２２】
吐水ヘッド５０は、手前側へ延びる長尺の外観を有し、基端側がフック部３３に対して着脱自在に保持され、先端側に吐水部が配置されている。吐水ヘッド５０は、通水部材６０、吐水部材７１、カバー部材７２、及び継手部材８０を備えている。
【００２３】
通水部材６０は、図３及び図７に示すように、管軸方向に延びる長尺の形状を有し、内部に空洞が管軸方向に連続して延びるように形成されている。通水部材６０は、その内周に、基端側から先端側に向かって、継手部材８０と接続する第一の接続部６１、給水ホース４０と接続する第二の接続部６４、及び吐水部材７１と接続する第三の接続部６８が並んでいる。
【００２４】
第一の接続部６１は、図７に示すように、鋸歯状の係合部６１ａを有している。係合部６１ａは、継手部材８０の外周面に形成された鋸歯状の被係合部８２と係合している。第一の接続部６１の先端側には、図４に示すように、内周側へ縮径する第一の段差部６２が形成されており、第一の段差部６２から先端側に向かって徐々に縮径する傾斜部６３が形成されている。鋸歯状の係合部６１ａは、通水部材６０の基端から第一の段差部６２までの内周面に形成されており、第一の段差部６２から先端側における通水部材６０の内周面は、平坦な湾曲面である。傾斜部６３の先端側は、給水ホース４０から供給された混合水が通水する通水部６６と連通している。
【００２５】
第二の接続部６４は、通水部６６の基端側にあり、給水ホース４０の先端側に取り付けられたＯリング７３と当接する当接部６４ａを有している。Ｏリング７３は、径方向に弾性変形して潰されることにより、通水部材６０と給水ホース４０との接続部分を水密にするための止水部として機能する。給水ホース４０は、先端側の外周に２つの環状の溝４２，４３が形成されている。先端側の溝４２は、Ｏリング７３を保持しており、溝４２の底面４２ａと当接部６４ａとの間でＯリング７３を潰して接続部分を水密にする。基端側の溝４３は、抜け止め部材７４と嵌合し、給水ホース４０が通水部材６０から抜けないように保持する固定部として機能する。抜け止め部材７４は、図７に示すように、一対の弾性片７４ａを有している。抜け止め部材７４は、通水部材６０の側面に形成された２つの貫通孔６０ａに対して外側から挿入される。一対の弾性片７４ａは、通水部材６０に挿入された給水ホース４０の溝４３に入り込んで嵌合する。第二の接続部６４及びＯリング７３は、第一の接続部６１に対して、傾斜部６３の長さだけ管軸方向に離れて配置している。
【００２６】
第二の接続部６４の先端側には、図４に示すように、内周側へ縮径する第二の段差部６５が形成されている。第二の段差部６５は、給水ホース４０の先端面と対向しており、通水部６６は、第二の段差部６５から先端側に向かって延びている。通水部材６０の先端側は、下方に屈曲しており、図３及び図７に示すように、下方に開口する開口部６７が形成されている。
【００２７】
第三の接続部６８は、開口部６７の内周側にあり、図３に示すように、吐水部としての吐水部材７１が開口部６７に挿入されている。吐水部材７１は、通水部材６０に対し、図示しない抜け止め部材を差し込むことにより、開口部６７に取り付けられている。吐水部材７１は、整流とシャワーの吐水形態を切り替えるための図示しない切替機構が内蔵されている。吐水部材７１は、外周面から径方向へ突出する摘み部７１ａを有している。使用者は、摘み部７１ａを摘んで周方向に回動させることにより、切替機構を操作する。吐水部材７１の下側には、吐水口７１ｂが形成されており、給水ホース４０から供給された混合水は、通水部６６を通って吐水部材７１に流れ込み、吐水口７１ｂから吐出する。
【００２８】
通水部材６０の先端側、及び中央側の下方には、図３及び図７に示すように、弾性変形できる弾性片６０ｂが突出している。通水部材６０は、図３に示すように、全体がカバー部材７２で覆われている。カバー部材７２は、内部に通水部材６０を収容する収容部７２ａが形成されており、基端側には、通水部材６０が挿入される開口部７２ｂを有し、先端側の下方には、吐水部材７１が挿入される開口部７２ｃを有している。通水部材６０の弾性片６０ｂが、それぞれカバー部材７２の内周面に当接することにより、通水部材６０は、カバー部材７２の内部に取り付けられている。
【００２９】
継手部材８０は、図３及び図７に示すように、管軸方向に延びた円筒形状であり、内部に給水ホース４０が挿入される空間が形成されている。継手部材８０は、前述したとおり、基端側の外周面に、被取付け部であるフック部３３と着脱自在に保持される保持部８１を有している。保持部８１は、図２に示すように、カバー部材７２の基端側から露出している。継手部材８０は、先端側の外周面に、通水部材６０の係合部６１ａと係合する被係合部８２を有している。被係合部８２は、鋸歯状の係合部６１ａと対応するように、管軸方向に延びた鋸歯状になっている。継手部材８０の先端側が通水部材６０に挿入されると、被係合部８２が係合部６１ａと係合し、継手部材８０は、通水部材６０に対して周方向への回転が規制される。
【００３０】
継手部材８０は、図５及び図７に示すように、被係合部８２の下面に、管軸方向に切り欠いた切り欠き部８３を有しており、継手部材８０の外周と、通水部材６０の内周との間に、大きな隙間が形成されている。この隙間は、水が通水部材６０の貫通孔６０ａなどから内部に侵入した際、外部へ排出するための排水路として機能する。切り欠き部８３の基端側には、継手部材８０を径方向に貫通する貫通孔８４が形成されている。この貫通孔８４も、水が継手部材８０の内部に侵入した際、外部へ排出するための排水路として機能する。
【００３１】
継手部材８０の被係合部８２の基端側には、図４に示すように、径方向に拡がる外周側段差部８５が形成されており、フック部３３に保持される保持部８１の外径は、被係合部８２よりも大きい。外周側段差部８５は、通水部材６０の基端側の端面６０ｃに対して管軸方向に対向する。一方、継手部材８０の内部にも、径方向に拡がる内周側段差部８６が形成されており、基端側の内径は、先端側の内径よりも大きい。給水ホース４０の外周には、径方向に拡がる環状のリブ４４が形成されており、弾性部材としてＯリング７５が装着されている。内周側段差部８６は、給水ホース４０のリブ４４に対し、Ｏリング７５を挟んで管軸方向に対向する。継手部材８０は、被係合部８２が通水部材６０に挿入されて第一の接続部６１と接続する際、外周側段差部８５が通水部材６０の基端側の端面６０ｃと当接する。そして、給水ホース４０が継手部材８０の内部を挿通するとともに、通水部材６０の内部を挿通し、抜け止め部材７４により、給水ホース４０が通水部材６０に固定されると、内周側段差部８６は、給水ホース４０のリブ４４と対向し、Ｏリング７５を管軸方向に潰して挟持する。これにより、継手部材８０は、通水部材６０の端面６０ｃと、給水ホース４０のリブ４４とで管軸方向に挟み込まれて、第一の接続部６１と接続する。
【００３２】
給水ホース４０は、図４及び図７に示すように、２つの環状の溝４２，４３を形成している突出部のうち、基端側の突出部は、先端側の他の突出部よりも径方向へ大きく突出した第一の突出部４５を有している。第一の突出部４５は、通水部材６０の内周面に当接し、給水ホース４０が径方向へがたつくことを抑える。また、給水ホース４０の外周には、管軸方向において、第一の突出部４５とリブ４４との間の位置に、六角ナット形状の第二の突出部４６を有している。第二の突出部４６は、図６に示すように、一部が継手部材８０の内周面に当接し、給水ホース４０が径方向へがたつくことを抑える。
【００３３】
次に、実施例１の作用及び効果について、説明する。
実施例１の吐水装置１０は、内部に通水部６６が管軸方向に延びるように形成され、先端側に吐水部を有している通水部材６０と、通水部材６０の基端側に接続し、フック部３３に着脱自在に保持される保持部８１を有している継手部材８０と、継手部材８０の内部を挿通するとともに、通水部材６０の内部を挿通し、通水部６６にＯリング７３を介して接続している給水ホース４０と、を備えている。
このような吐水装置１０によれば、給水ホース４０と水密に接続する通水部材６０は、保持部８１を有しておらず、通水部材６０と別部材の継手部材８０が保持部８１を有している。このため、使用者が継手部材８０をフック部３３に対して着脱する際に、保持部８１に外力が加わって継手部材８０が変形しても、通水部材６０には直接的に外力が加わらないので、通水部材６０は変形しづらくなる。したがって、実施例１の吐水装置１０は、給水ホース４０と良好な接続を維持できる。
【００３４】
実施例１の吐水装置１０は、通水部材６０と継手部材８０とが接続している第一の接続部６１と、Ｏリング７３とは、管軸方向に離れている。
この場合、継手部材８０が変形しても、Ｏリング７３は管軸方向に離れているので変形しづらくなる。したがって、実施例１の吐水装置１０は、さらに給水ホース４０と良好な接続を維持できる。
【００３５】
実施例１の吐水装置１０において、継手部材８０は、通水部材６０と給水ホース４０とで管軸方向に挟み込まれて、通水部材６０と接続している。
この場合、継手部材８０と通水部材６０に、ねじ加工などの固定構造が必要ない。したがって、実施例１の吐水装置１０は、継手部材８０の組み付けを容易にできる。
【００３６】
実施例１の吐水装置１０は、継手部材８０と給水ホース４０との間に、Ｏリング７５を備えている。
この場合、使用者が継手部材８０をフック部３３に対して着脱する際に、保持部８１に外力が加わって継手部材８０ががたつこうとしても、Ｏリングが弾性変形し、がたつきを抑えられる。したがって、実施例１の吐水装置１０は、さらに給水ホース４０と良好な接続を維持できる。
【００３７】
実施例１の吐水装置１０は、通水部材６０と継手部材８０との間に、通水部材６０の内部に侵入した水を外部へ排出するための排水路が形成されている。
この場合、貫通孔６０ａなどから、通水部材６０の内部に水が浸入しても、その水を排水路を通じて通水部材６０の外部へ排出できる。したがって、実施例１の吐水装置１０は、通水部材６０の内部に水が滞留することを抑えることができる。
【００３８】
実施例１の吐水装置１０において、給水ホース４０は、継手部材８０の内周に当接しているとともに、前記通水部材６０の内周に当接している。
この場合、給水ホース４０は、通水部材６０及び継手部材８０にそれぞれ当接するので、径方向のがたつきを抑えられる。したがって、実施例１の吐水装置１０は、さらに給水ホース４０と良好な接続を維持できる。
【００３９】
＜他の実施例＞
本発明は、上記記述及び図面によって説明した実施例１に限定されるものではなく、次のような実施例も本発明の技術的範囲に含まれる。
（１）実施例１では、第一の接続部６１と、第二の接続部６４とは、管軸方向に離れた位置にあるが、管軸方向に隣接していてもよい。
（２）実施例１では、継手部材８０の保持部８１は、吐水ヘッド５０の基端側から突出し、外周面に形成されているが、吐水ヘッド５０の内部に位置し、内周側に形成されていてもよい。この場合、被取付け部は、吐水ヘッド５０の内部に挿入して吐水ヘッド５０を保持する。
（３）実施例１では、継手部材８０は、通水部材６０の端面６０ｃと、給水ホース４０のリブ４４との間で挟み込まれているが、継手部材８０の外周にネジを形成して、通水部材６０の内周と螺合して固定したり、継手部材８０を給水ホース４０に固定したりしてもよい。
（４）実施例１では、給水ホース４０の第二の突出部４６は、六角ナット形状であるが、第一の突出部４５と同様に、同径の環状リングでもよい。また、給水ホース４０の外周面の全体が、継手部材８０や通水部材６０の内周面と当接するようにしてもよい。
（５）実施例１では、通水部材６０は、カバー部材７２に覆われているが、カバー部材７２がなくてもよく、通水部材６０が吐水装置１０の外観を構成するものであってもよい。
（６）実施例１では、吐水装置１０は、キッチンのシンクの上方にある壁面に取り付けられるものであるが、キッチンのカウンターを被取付け部とするものであってもよい。
【符号の説明】
【００４０】
１０…吐水装置
３３…フック部
４０…給水ホース
４５…第一の突出部
４６…第二の突出部
６０…通水部材
６１…第一の接続部
６３…通水部
６４…第二の接続部
７１…吐水部材（吐水部）
７３…Ｏリング（止水部）
７５…Ｏリング（弾性部材）
８０…継手部材
８１…保持部
８３…切り欠き部（排水路を形成する部分）
【図１】
2020143488.tif 000003
【図２】
2020143488.tif 000004
【図３】
2020143488.tif 000005
【図４】
2020143488.tif 000006
【図５】
2020143488.tif 000007
【図６】
2020143488.tif 000008
【図７】
2020143488.tif 000009